(57)【特許請求の範囲】
【請求項１】
被写体像を結像する撮影光学系と、該撮影光学系により結像された被写体像を画像信号に変換する撮像素子と、前記撮影光学系に備えられた少なくとも一部のレンズを光軸方向に移動しつつ撮影した各画像データを記録する画像記録手段と、前記撮影された画像データを表示する画像表示部と、撮影に先立ち前記少なくとも一部のレンズを光軸方向に移動させつつ各レンズ位置における合焦度合いを評価する焦点評価値を出力する焦点評価値出力手段と、前記各レンズ位置に対する焦点評価値の極大値近傍のデータから被写体に合焦可能な複数の撮影焦点範囲を決定する撮影焦点範囲取得手段とを備え、
撮影時に第１のスイッチを操作する毎に前記画像表示部に前記撮影焦点範囲を順次予告表示し、第２のスイッチを操作したときに予告表示中の撮影焦点範囲内でレンズ位置を変えつつ複数回撮影を行ない該撮影された各画像を記録することを特徴とする撮影装置。
【請求項２】
被写体像を結像する撮影光学系と、該撮影光学系により結像された被写体像を画像信号に変換する撮像素子と、前記撮影光学系に備えられた少なくとも一部のレンズを光軸方向に移動しつつ撮影した各画像データを記録する画像記録手段と、前記撮影された画像データを表示する画像表示部と、撮影に先立ち前記少なくとも一部のレンズを光軸方向に移動させつつ各レンズ位置における合焦度合いを評価する焦点評価値を出力する焦点評価値出力手段と、前記各レンズ位置に対する焦点評価値の極大値近傍のデータから被写体に合焦可能な複数の撮影焦点範囲を決定する撮影焦点範囲取得手段と、前記撮影光学系の状態から前記各レンズ位置における被写界深度情報を取得する被写界深度取得手段とを備え、
前記被写界深度取得手段によって取得された被写界深度内に含まれかつ近接する少なくとも２つの前記焦点評価値の極大値データから合焦可能な複数の撮影焦点範囲を決定するとともに、
撮影時に第１のスイッチを操作する毎に前記画像表示部に前記撮影焦点範囲を順次予告表示し、第２のスイッチを操作したときに予告表示中の撮影焦点範囲内でレンズ位置を変えつつ複数回撮影を行ない該撮影された各画像を記録することを特徴とする撮影装置。
【請求項３】
前記第１のスイッチの操作と前記第２のスイッチの操作とが２段式レリーズＳＷ１の半押し操作と全押し操作とにそれぞれ対応していることを特徴とする請求項１または請求項２に記載の撮影装置。
【発明の詳細な説明】
【技術分野】
【０００１】
本発明は、フォーカスブラケット撮影方式を採用した撮影装置に関する。
【背景技術】
【０００２】
従来から、フォーカスブラケット撮影方式を採用した撮影装置が知られている（特許文献１，特許文献２等参照）。
【０００３】
フォーカスブラケット撮影方式とは、焦点位置を少しずつずらしながら複数枚の画像を撮影する撮影方式のことである。
【０００４】
特許文献１に記載の発明では、レリーズボタンを操作すると、フォーカスレンズ系を被写体に対して至近で合焦する配置から無限遠で合焦する配置まで駆動しつつ、一定間隔でフォーカスブラケット撮影を行なう。
【０００５】
そして、画像の取り込みを終了した後、撮影者が液晶ディスプレイを見ながらピントを合わせたい被写体エリアを選択すると、取り込まれた複数の画像データのうち選択された被写体周辺エリア内で最もピントが合っている画像を選択する。
【０００６】
ピントが最も合っている画像を選択した後、選択された画像を記録媒体に記録し、画像を保存した後、撮影待機状態にもどる。
【特許文献１】特開２００５−２７７８１３号公報
【発明の開示】
【発明が解決しようとする課題】
【０００７】
ところで、オートフォーカス機能を有するデジタルカメラでもって奥行きのある被写体を撮影する際には、撮影者の意図を撮影画像に自動的に反映させるのは極めて困難であり、撮影者の意図から外れた焦点位置で撮影されてしまうことがある。
【０００８】
この問題の対応策として、確定した合焦位置からフォーカスレンズの焦点位置を前後に少し移動させ数回撮影するフォーカスブラケット撮影と呼ばれる撮影方式が従来から知られている。
【０００９】
しかしながら、この方法では、僅かなピントのズレはカバーすることができても、大きなピントのズレをカバーすることはできない。
【００１０】
そこで、特許文献１の発明では、フォーカスレンズ系を被写体に対して至近で合焦する配置から無限遠で合焦する配置まで駆動して、全撮影焦点範囲で撮影した後、撮影者が撮影画像の任意領域を画像表示部上で指示すると、指示領域にピントが合った画像が抽出される。
【００１１】
このような目的からすると至近から無限までの焦点位置すべてを撮影するのが理想となるが、商品性を考慮すると、メモリ容量や処理速度の制約から撮影焦点範囲に制限が生じてしまうのは避けられない。
【００１２】
しかも、被写体距離が近くなるほど、あるいは、焦点距離が望遠側によるほど被写界深度幅は急激に狭くなるので、合焦状態を維持しながら焦点位置を変えて撮影するためには、かなりの回数の撮影が必要となる。
【００１３】
光学系の仕様にも依存するが、例えば、現行で、１／２．５型の８００万画素〜１０００万画素の撮像素子を使用したコンパクトデジタルカメラでは、広角側では至近から無限まで約３０枚、望遠側では至近から無限まで約７０枚の撮影が必要となり、一眼レフカメラに搭載されている１Ｇｂｉｔの画像バッファ用メモリを使っても１度に約１０枚分の処理しかできない。
【００１４】
また、特許文献１の発明では、画像バッファ用メモリの容量によってもフォーカスブラケット撮影の撮影可能な撮影焦点範囲は制約を受け、至近から無限まで焦点位置を複数位置に分割して撮影せざるを得ないという問題があった。
【００１５】
そこで、本発明では、撮影意図に沿った画像を撮影可能としつつも、合理的に撮影枚数を削減し、しかも記録媒体の節約を可能としたフォーカスブラケット撮影方式を採用した撮影装置を提供する。
【課題を解決するための手段】
【００１７】
上記目的を達成するため、請求項１に記載の発明は、被写体像を結像する撮影光学系と、該撮影光学系により結像された被写体像を画像信号に変換する撮像素子と、前記撮影光学系に備えられた少なくとも一部のレンズを光軸方向に移動しつつ撮影した各画像データを記録する画像記録手段と、前記撮影された画像データを表示する画像表示部と、撮影に先立ち前記少なくとも一部のレンズを光軸方向に移動させつつ各レンズ位置における合焦度合いを評価する焦点評価値を出力する焦点評価値出力手段と、前記各レンズ位置に対する焦点評価値の極大値近傍のデータから被写体に合焦可能な複数の撮影焦点範囲を決定する撮影焦点範囲取得手段とを備え、
撮影時に第１のスイッチを操作する毎に前記画像表示部に前記撮影焦点範囲を順次予告表示し、第２のスイッチを操作したときに予告表示中の撮影焦点範囲内でレンズ位置を変えつつ複数回撮影を行ない該撮影された各画像を記録する撮影装置を特徴としている。
【００１８】
また、請求項２に記載の発明は、被写体像を結像する撮影光学系と、該撮影光学系により結像された被写体像を画像信号に変換する撮像素子と、前記撮影光学系に備えられた少なくとも一部のレンズを光軸方向に移動しつつ撮影した各画像データを記録する画像記録手段と、前記撮影された画像データを表示する画像表示部と、撮影に先立ち前記少なくとも一部のレンズを光軸方向に移動させつつ各レンズ位置における合焦度合いを評価する焦点評価値を出力する焦点評価値出力手段と、前記各レンズ位置に対する焦点評価値の極大値近傍のデータから被写体に合焦可能な複数の撮影焦点範囲を決定する撮影焦点範囲取得手段と、前記撮影光学系の状態から前記各レンズ位置における被写界深度情報を取得する被写界深度取得手段とを備え、
前記被写界深度取得手段によって取得された被写界深度内に含まれかつ近接する少なくとも２つの前記焦点評価値の極大値データから合焦可能な複数の撮影焦点範囲を決定するとともに、
撮影時に第１のスイッチを操作する毎に前記画像表示部に前記撮影焦点範囲を順次予告表示し、第２のスイッチを操作したときに予告表示中の撮影焦点範囲内でレンズ位置を変えつつ複数回撮影を行ない該撮影された各画像を記録する撮影装置を特徴としている。
【００１９】
さらに、請求項３に記載の発明は、前記第１のスイッチの操作と前記第２のスイッチの操作とが２段式レリーズＳＷ１の半押し操作と全押し操作とにそれぞれ対応している請求項１または請求項２に記載の撮影装置を特徴としている。
【発明の効果】
【００２０】
このように構成された本発明の請求項１のものは、第１のスイッチを操作した際に、第２のスイッチを操作後にレンズ位置を変えつつ複数回撮影を行なうときの撮影焦点範囲を画像表示部に予告表示することによって、撮影者は事前に撮影焦点範囲を確認できるので、被写体がおおよそ撮影焦点範囲内に入っているか否かを確認してから撮影することが可能となり、撮影ミスが減少するだけでなく、撮影者の意図する被写体像が得やすい。
【００２１】
そして、撮影時に第１のスイッチを操作する毎に複数の撮影焦点範囲を画像表示部に順次予告表示し、第２のスイッチを操作したときに予告表示中の撮影焦点範囲内でレンズ位置を変えつつ複数回撮影を行ない撮影された各画像を記録するので、撮影意図に合うまで第１のスイッチの操作を繰り返し、撮影意図に合う撮影焦点範囲が選択されたときに第２のスイッチを操作することによって、このときの撮影焦点範囲内でレンズ位置を変えつつ複数回撮影が行なわれ、撮影された各画像を記録することができる。
【００２２】
このため、撮影者の撮影意図に合った撮影焦点範囲でレンズ位置を変えつつ複数回撮影が行なわれ、撮影された各画像の記録が行われるので、撮影者が意図した合焦状態で撮影が行なわれ、画像品質の優れた撮影を行なうことができる。
【００２３】
また、請求項２のものは、焦点評価値出力手段による焦点評価値のデータと、被写界深度取得手段による被写界深度情報とに基づいて撮影焦点範囲が決定されるので、無駄なく撮影焦点範囲が決定され、撮影意図に合わない撮影焦点範囲が予告表示されたときの対処の仕方について、撮影者は一層迅速かつ適切に意図に合った撮影焦点範囲を選択できる。
【００２４】
さらに、請求項１または請求項２に記載のものでは、撮影焦点範囲を撮影者の撮影意図に従って選択してから、この撮影焦点範囲内でレンズ位置を変えつつ複数回撮影が行われるので、画像記録手段の記憶領域を無駄に使うことがない。
【００２５】
しかも、請求項３のものは、２段押しのレリーズＳＷ１によって、請求項１または請求項２の発明に係る操作を行なうことによって１つのレリーズＳＷ１によって第１のスイッチ操作と第２のスイッチ操作とが連続して行えるので、操作性の向上を図ることができる。
【発明を実施するための最良の形態】
【００２６】
以下、本発明の撮影装置を実施例に基づいて説明する。
【００２７】
〈オートフォーカスの動作原理〉
オートフォーカスの方式には、赤外投光ＬＥＤを用いたアクティブ方式、光学レンズと一体型の位相差式センサを用いるパッシブ方式、撮影レンズを透過した光を位相差方式センサに導くＴＴＬ・ＡＦ方式などが知られている。
【００２８】
近年多くのコンパクトタイプのデジタルカメラで用いられている方式は、従来からビデオカメラ用のオートフォーカス技術として公知技術であったコントラスト方式（その動作方法から山登り方式とも呼ばれることがある）と言われるものである。
【００２９】
コントラスト方式の動作原理としては、フォーカスレンズの位置を微小ステップで変化させながら被写体光を撮影し、各撮影データの高周波成分（画像データをフーリエ変換した際のフーリエ係数の高周波成分）を抽出し、ＡＦ評価値（フーリエ係数の高周波成分の画像面上での積分値（平均値））として算出し、フォーカスレンズ位置に対するＡＦ評価値の変化の極大値から合焦位置を決定する方式である。
【００３０】
この方式の最も一般的な動作方法としては、実際の撮影に先立ちフォーカスレンズを微小ステップずつ動かしながら順次撮影し、撮影データの高周波成分を抽出し、ＡＦ評価値として算出する。
【００３１】
フォーカスレンズ位置に対してＡＦ評価値が極大となるフォーカスレンズ位置のうち、極大値が最大となるフォーカス位置を合焦点位置として選択し、この位置を記憶しておき、微小ステップ駆動動作終了時に、その位置までフォーカスレンズを再度動かして、実際の撮影を行なう。
【００３２】
このため、合焦位置を判断するのに時間はかかるものの別途センサを設けることなく、正確な合焦位置が得られる方式として一般的に使用されている。
【００３３】
〈構成〉
図１は本発明の撮影装置としてのデジタルカメラを示す外観図であり、（ａ）は平面図、（ｂ）は正面図、（ｃ）は背面図を示す。図１において、符号Ｃはデジタルカメラである。
【００３４】
図１（ａ）に示すように、デジタルカメラＣの上部には、サブ液晶ディスプレイ１（以下、液晶ディスプレイを「ＬＣＤ」という）、レリーズＳＷ１、モードダイアルＳＷ２とが設けられている。
【００３５】
レリーズＳＷ１は、半押し操作によってフォーカスロック状態、全押し操作によって実際の撮影が行われるようになっている。
【００３６】
図１（ｂ）に示すように、デジタルカメラＣの正面側には、撮影レンズを備えた鏡胴ユニット２、光学ファインダ３の入光部、ストロボ発光部４、リモコン受光部５、赤外線測拒ユニット６、デジタルカメラＣの片側部には、メモリカード／電池装填室の蓋７が設けられている。
【００３７】
図１（ｃ）に示すように、デジタルカメラＣの背面側には、光学ファインダ３の接眼部、ＬＣＤモニタ８、ＡＦ確認用ＬＥＤ９、ストロボ確認用ＬＥＤ１０、ズームスイッチＳＷ３、セルフタイマスイッチＳＷ４、メニュースイッチＳＷ５、カーソル移動設定スイッチＳＷ６、ディスプレイスイッチＳＷ７、ＯＫスイッチＳＷ８、電源スイッチＳＷ９が設けられている。
【００３８】
このように、本実施例のデジタルカメラＣでは、上記ＳＷ１〜ＳＷ９によって操作部Ｓが構成されている。
【００３９】
図２はデジタルカメラＣのシステム構成を示すブロック図である。
【００４０】
図２において、符号１１はＤＳＰ（デジタルスチルカメラプロセッサ）であり、ＤＳＰ１１は、制御演算部（ＣＰＵ部）１２、画像処理部１３、圧縮伸長処理部１４、画像出力Ｉ／Ｆ部１５、画像記録Ｉ／Ｆ部１６などを内蔵しており、これらの各部はバスラインを介して相互に接続されている。
【００４１】
画像処理部１３は様々な画像処理機能を有しているが、山登りスキャンによる被写体画像の周波数情報（画像データをフーリエ変換した際のフーリエ係数の高周波成分の情報）に基づいてＡＦ評価値（フーリエ係数の高周波成分の画像面上での積分値（平均値））を取得するためのＡＦ用被写体周波数情報取得手段１３ａも有している。
【００４２】
ＤＳＰ１１の外部には、画像バッファ用メモリ１７、ＲＡＭ１８、制御プログラムやパラメータなどが格納されたプログラム用メモリ１９が設けられており、これらもバスラインを介してＤＳＰ１１に接続されている。
【００４３】
そして、デジタルカメラＣの各部はＤＳＰ１１の制御演算部１２によって制御される。
【００４４】
画像バッファ用メモリ１７には、撮影された画像の画像データから変換されたＲＡＷ−ＲＧＢ画像データ（ホワイトバランス補正、γ補正が行なわれた画像データ）、ＹＵＶ画像データ（輝度データと色差データとに変換された画像データ）、ＪＰＥＧ画像データ（ＪＰＥＧ圧縮された画像データ）が保存される。
【００４５】
電源スイッチＳＷ９をオンにした際に、プログラム用メモリ１９に格納された制御プログラムがＤＳＰ１１のメモリにロードされて実行され、デジタルカメラＣの各部は、この制御プログラムによって制御される。
【００４６】
制御プログラムが実行される際には、ＲＡＭ１８のメモリが制御プログラムの作業用メモリとして使用されるので、ＲＡＭ１８のメモリには、制御プログラムの制御データやパラメータなどの書き込みや読み出しが随時行われる。
【００４７】
後述される処理は、この制御プログラムを実行することにより、主に、ＤＳＰ１１の制御演算部１２によって実行される。
【００４８】
図２において、符号２０は被写体像を結像する撮影光学系であり、撮影光学系２０は、ズーム光学系およびフォーカスレンズを備えた撮影レンズ系２１と、絞りおよびメカニカルシャッタを備えた絞り・シャッタユニット２２とによって構成されている。
【００４９】
撮影レンズ系２１と絞り・シャッタユニット２２とは光学系駆動部２３によって駆動され、光学系駆動部２３はＤＳＰ１１の制御演算部１２によって制御される。
【００５０】
撮影光学系２０は、フォーカス時、ズーム時、起動・停止時にズーム光学系およびフォーカスレンズの位置を機械的機構によって変え、絞り・シャッタユニット２２は撮影時に適切な露出に調節し、静止画撮影時にはシャッタの開閉動作を行なう。
【００５１】
デジタルカメラＣの動作中には、フォーカスレンズを光学系駆動部２３によって駆動することにより、被写体像をＣＭＯＳ型の撮像素子２４の受光部に結像させる。
【００５２】
撮像素子２４の受光部の入射側には、紫外線の入射を防止するための光学的ローパスフィルタ２５が設けられている。
【００５３】
撮像素子としてはＣＣＤ型を使用してもよいが、本実施例では、ＣＣＤ型に比べて映像信号の高速な読み出しが可能なＣＭＯＳ型の撮像素子を使用する。
【００５４】
鏡胴ユニット２に内蔵される撮影光学系２０により撮像素子２４の受光部に結像された被写体像は、撮像素子２４によって画像信号に変換され、この画像信号がＦＥＰ（フロントエンドプロセッサ）２６に出力される。
【００５５】
ＦＥＰ２６は、相関二重サンプリングを行なうＣＤＳ２７、自動的に利得の調整を行なうＰＧＡ２８、ＰＧＡ２８から出力されるアナログ画像信号をデジタル画像信号に変換するＡＤＣ２９によって構成されている。
【００５６】
ＦＥＰ２６は、撮像素子２４から出力されたアナログ画像信号にノイズ低減の処理や利得調整の処理などの所定の処理を施し、さらにアナログ画像信号をデジタル画像信号に変換して、ＤＳＰ１１の画像処理部１３に出力する。
【００５７】
ＦＥＰ２６による画像信号のサンプリングなどのタイミング処理は、ＤＳＰ１１の画像処理部１３からフィードバックされるＶＤ／ＨＤ信号に基づいてＴＧ３０によって行われる。
【００５８】
ＤＳＰ１１の制御演算部１２には、ストロボ発光部３を発光させるストロボ回路などデジタルカメラＣの各部に接続されており、これらは制御演算部１２によって制御および監視されている。
【００５９】
制御演算部１２には、ＬＣＤドライバを介してサブＬＣＤ１、リモコン受光部５、ＡＦ確認用ＬＥＤ９、ストロボ確認用ＬＥＤ１０、各スイッチＳＷ１〜ＳＷ９からなる操作部Ｓ、ブザーなどが接続されており、これらも制御演算部１２によって制御されている。
【００６０】
また、制御演算部１２は、リモコン受光部５への信号の入力状態や操作部Ｓへの入力状態を常時監視している。
【００６１】
ＤＳＰ１１の画像出力Ｉ／Ｆ部１５には、ＬＣＤモニタ８を駆動するためのＬＣＤドライバを介してＬＣＤモニタ８が接続され、ＬＣＤモニタ８に画像を出力する。
【００６２】
ＬＣＤモニタ８は、撮影中の被写体のモニタや、撮影された画像の表示、メモリカードまたは内蔵メモリに記録された画像の表示などに使用される。
【００６３】
画像記録Ｉ／Ｆ部１６には、メモリカードスロットが接続されており、メモリカードスロットに挿入された増設用のメモリカードなどの記録メディアとデジタルカメラとの間で画像データのやり取りを行なう。
【００６４】
〈デジタルカメラＣの動作〉
次に、本実施例のデジタルカメラＣの基本動作を説明する。
【００６５】
デジタルカメラＣの動作モードには、撮影する際に使用する撮影モードと、撮影された画像を再生する際に使用する再生モードとがあり、撮影モードでの動作中には、さらに、後述するＡＦエリア確認モードとＡＦエリア選択モードとがある。
【００６６】
また、これらの他にも、撮影モードでの動作中には、セルフタイマを使用して撮影するセルフタイマモードやリモコンによってデジタルカメラＣを遠隔操作するリモコンモードなどの様々な動作モードが用意されている。
【００６７】
図３は、デジタルカメラＣの動作概要を説明するフローチャート図である。
【００６８】
デジタルカメラＣの電源スイッチＳＷ９をオンにすると、図３のフローチャートに示される処理が開始される。この処理を図３に基づいて説明する。
【００６９】
デジタルカメラＣの電源スイッチＳＷ９をオンにした状態で、モードダイアルＳＷ２を撮影モードに設定すると、デジタルカメラＣは撮影モードになり、モードダイアルＳＷ２を再生モードに設定すると、デジタルカメラＣは再生モードになる。
【００７０】
ステップＳ．１−１では、モードダイアルＳＷ２のスイッチの状態が撮影モードか、再生モードかが判断され、撮影モードならばステップＳ．１−２の処理に進み、再生モードならばステップＳ．１−５の処理に進む。
【００７１】
ステップＳ．１−２では、ＤＳＰ１１の制御演算部１２により光学系駆動部２３が制御され、鏡胴ユニット２を構成するレンズ鏡筒が撮影可能な位置に移動し、さらに、撮像素子２４、ＦＥＰ２６、ＬＣＤモニタ８などの撮影に必要とされる各回路に電源が投入される。
【００７２】
そして、撮影光学系２０によって撮像素子２４の受光部に結像された被写体像の情報は随時撮像素子２４により、ＲＧＢアナログ信号に変換され、このＲＧＢアナログ信号はＣＤＳ２７とＰＧＡ２８とによってノイズ低減の処理や利得調整の処理などの所定の処理が行なわれ、ＡＤＣ２９により、ＲＧＢアナログ信号はＲＧＢデジタル信号に変換され、ＤＳＰ１１の画像処理部１３に出力される。
【００７３】
さらに、このＲＧＢデジタル信号は、画像処理部１３によって、ＲＡＷ−ＲＧＢ画像データ、ＹＵＶ画像データ、ＪＰＥＧ画像データに変換され、メモリコントローラ（図示省略）によって画像バッファ用メモリ１７のフレームメモリに書き込まれる。
【００７４】
これらの画像データのうち、ＹＵＶ画像データは、画像バッファ用メモリ１７のフレームメモリから随時読み出され、画像出力Ｉ／Ｆ部１５によってビデオ信号に変換されて、ＬＣＤモニタ８に出力される。
【００７５】
このように、撮影待機状態においては、被写体像の画像データを随時画像バッファ用メモリ１７のフレームメモリに取り込むと共に被写体像を随時ＬＣＤモニタ８から出力する処理を行なっている。この処理をモニタリング処理とする。
【００７６】
ステップＳ．１−３では、モードダイアルＳＷ２の設定変更が行なわれたか否かを判断し、設定変更が行なわれたならばステップＳ．１−１の処理に戻り、設定変更が行なわれていないならばステップＳ．１−４の処理に進む。
【００７７】
ステップＳ．１−４では、レリーズＳＷ１の状態が判断され、レリーズＳＷ１が押されていないときは、ステップＳ．１−２の処理に戻り、レリーズＳＷ１が半押し操作されたときには、ＡＦエリア確認モードの処理かまたはＡＦエリア選択モードの処理を行ない、レリーズＳＷ１が全押し操作されたときは、設定された撮影焦点範囲内で、フォーカスブラケット撮影を行なう。
【００７８】
そして、撮影された画像を画像バッファ用メモリ１７のフレームメモリに取り込み、さらに画像データを記録メディアに記録する処理などが実行され、その後ステップＳ．１−２の処理に戻る。このステップＳ．１−４の処理を撮影処理とする。
【００７９】
このようにデジタルカメラＣが撮影モードで動作しているときには、ステップＳ．１−２〜ステップＳ．１−４の処理を繰り返すことになる。この繰り返しの処理を行なっている状態をファインダモードとする。本実施例のデジタルカメラＣでは、一定の周期で、これらの処理が繰り返される。
【００８０】
このファインダモードでは、モニタリング処理も一定の周期で繰り返し行われるので、これに伴い、ＬＣＤモニタ８の表示は更新される。
【００８１】
また、ステップＳ．１−５では、内蔵メモリやメモリカードなどの記録メディアに記録された画像データをＬＣＤモニタ８に出力させ、ステップＳ．１−６の処理に進む。
【００８２】
ステップＳ．１−６では、モードダイアルＳＷ２の設定変更が行なわれたか否かを判断し、設定変更が行なわれたならばステップＳ．１−１の処理に戻り、設定変更が行なわれていないならばステップＳ．１−５の処理に戻る。
【実施例１】
【００８３】
ＡＦエリア確認モードは、図５（ｂ）に示すように、フォーカスブラケット撮影における撮影焦点範囲をフォーカスブラケット撮影開始前にＬＣＤモニタ８上に表示し、撮影者が撮影焦点範囲を確認した上でフォーカスブラケット撮影を行えるようにするものである。
【００８４】
実施例１のデジタルカメラＣは、各焦点位置に対するＡＦ評価値の極大値近傍のデータから被写体に合焦可能な撮影焦点範囲を決定する撮影焦点範囲取得手段を備えており、撮影時にレリーズＳＷ１を半押し操作した際にＬＣＤモニタ８に撮影焦点範囲を予告表示し、レリーズＳＷ１を全押し操作したときに予告表示中の撮影焦点範囲内でＡＦブラケット撮影を行ない、撮影された各画像を記録する。
【００８５】
〈制御フローチャート〉
図４はＡＦエリア確認モードの撮影処理のフローチャート図である。
【００８６】
ステップＳ．２−１では、ＡＦエリア確認モードの撮影処理が開始される。
【００８７】
ステップＳ．２−２では、レリーズＳＷ１が半押し状態であるか否かが判断される。半押しされていなければステップＳ．２−１に戻り、半押しされていれば次のステップ（Ｓ．２−３）に進む。
【００８８】
ステップＳ．２−３では、撮影光学系２０のフォーカスレンズのフォーカス位置をずらしながら山登りスキャン処理を実行する。
【００８９】
すなわち、焦点レンズを最至近の焦点位置から無限遠の焦点位置まで移動させつつ、画像情報を記録すると共に、ＡＦ用被写体周波数情報取得手段１３ａによって、被写体画像の周波数情報（画像データをフーリエ変換した際のフーリエ係数の高周波成分の情報）に基づいてＡＦ評価値（フーリエ係数の高周波成分の画像面上での積分値（平均値））を算出する。
【００９０】
通常のＡＦ（オートフォーカス）処理では、被写体の合焦可能な被写体距離は複数存在するので、被写体距離に対するＡＦ評価値のピークも複数存在するが、画像中央の被写体を参照するか、あるいは、全画像中の最至近距離にある被写体を参照するなどして、ＡＦ評価値のピークのうち、ピーク値が最大となっている被写体の焦点位置を参照して合焦位置とする。
【００９１】
本実施例では、ピーク値が最大となっている被写体（図５（ａ）の手前の人物）の焦点位置を参照して合焦位置とする。
【００９２】
ステップＳ．２−４では、ステップＳ．２−３において算出され記録されたＡＦ評価値に基づいて焦点レンズの撮影焦点範囲を決定して、この撮影焦点範囲内のレンズ位置に焦点レンズを移動する。
【００９３】
撮影焦点範囲は、予めユーザーが設定しておくか、絞りの開放状態や撮影レンズの状態や、そのときの露出状態などの情報から自動的に決定することもできる。
【００９４】
本実施例では、ＡＦ評価値のピークグラフの幅から自動的に撮影焦点範囲を決定する撮影焦点範囲取得手段が設けられている。具体的には、ピークグラフの半値幅などのグラフ幅を利用するものとする。
【００９５】
ステップＳ．２−５では、フォーカスブラケット撮影の撮影焦点範囲をＬＣＤモニタ８上に表示させる撮影焦点範囲表示手段によってＬＣＤモニタ８上に撮影焦点範囲の予告表示が表示される。
【００９６】
撮影焦点範囲表示手段はプログラム処理によってＬＣＤモニタ８上に撮影焦点範囲の予告表示を表示する。
【００９７】
ステップＳ．２−６では、レリーズＳＷ１の半押し状態が保持されているか否かを判断し、半押し状態が保持されていなければステップＳ．２−１に戻り、半押し状態が保持されていれば撮影待機状態を保ち、次のステップ（Ｓ．２−７）に進む。
【００９８】
ステップＳ．２−７では、レリーズＳＷ１が全押し状態であるか否かが判断される。全押しされていなければステップＳ．２−６に戻り、全押しされていれば次のステップ（Ｓ．２−８）に進む。
【００９９】
ステップＳ．２−８では、ステップＳ．２−４において決定された撮影焦点範囲内で焦点レンズを移動させつつ所定の回数あるいは所定の焦点位置間隔で撮影を行なう、いわゆる、フォーカスブラケット撮影を行ない、次のステップＳ．２−９に進む。
【０１００】
ステップＳ．２−９では、処理を終了する。
【０１０１】
〈作用効果〉
レリーズＳＷ１が半押し操作された際にフォーカスブラケット撮影を行なうときの撮影焦点範囲をＬＣＤモニタ８に予告表示することによって、撮影者が事前に撮影焦点範囲を確認できるので、被写体がおおよそ撮影焦点範囲内に入っているか否かを確認してから撮影することが可能となり、撮影ミスが減少するだけでなく、撮影者の意図する被写体像が得やすい。
【０１０２】
また、２段押しのレリーズＳＷ１によって請求項１ないし請求項３の発明に係る操作を行なうことにより、１つのレリーズＳＷ１によって第１のスイッチ操作と第２のスイッチ操作とが連続して行えるので、操作性の向上を図ることができる。
【０１０３】
撮影者がレリーズＳＷ１の半押しすることにより予告表示によって表示される撮影焦点範囲内に、撮影者が撮影を意図している被写体が含まれていないならば、レリーズＳＷ１の半押し状態を解除することにより、初期状態に戻し、再び、レリーズＳＷ１を半押し状態とすることにより、山登りスキャン処理が再度実行されるので、撮影条件を変えて、撮影を意図している被写体が予告表示によって表示される撮影焦点範囲内に含まれるようになるまで再度合焦を試みることができる。
【実施例２】
【０１０４】
本発明を実施例に基づいて説明する。なお、上述の実施例と同一ないし均等な部分については説明を省略し、図面の符号については同一ないし均等な部分については同一の符号を付すものとする。
【０１０５】
実施例２のデジタルカメラＣは、各焦点位置に対するＡＦ評価値の極大値近傍のデータから被写体に合焦可能な複数の撮影焦点範囲を決定する撮影焦点範囲取得手段を備えており、撮影時にレリーズＳＷ１を半押し操作する毎にＬＣＤモニタ８に複数の撮影焦点範囲を順次予告表示し、レリーズＳＷ１を全押し操作したときに予告表示中の撮影焦点範囲内でＡＦブラケット撮影を行ない、撮影された各画像を記録する。
【０１０６】
実施例２のＡＦエリア選択モードは、図７（ｂ）〜図７（ｄ）に示すように、フォーカスブラケット撮影における撮影焦点範囲をフォーカスブラケット撮影開始前にＬＣＤモニタ８上に表示し、撮影者が撮影焦点範囲を確認した上でフォーカスブラケット撮影を行えるようにするものである。
【０１０７】
レリーズＳＷ１を１回目に半押し操作した際に、フォーカスブラケット撮影が行われる撮影焦点範囲の予告表示が撮影意図から外れていた場合に、繰り返しレリーズＳＷ１の半押し操作を行なうことにより、レリーズＳＷ１を半押しする毎に、順次、撮影焦点範囲が変更され予告表示が切り替わる（図７では（ｂ）→（ｃ）→（ｄ）の順）ので、撮影意図に合うまで操作を繰り返し、撮影意図に合う撮影焦点範囲が選択されたら、レリーズＳＷ１を全押し操作してフォーカスブラケット撮影を実行する。
【０１０８】
〈制御フローチャート〉
図６はＡＦエリア選択モードのフローチャート図である。
【０１０９】
ステップＳ．３−１では、ＡＦエリア選択モードの撮影処理が開始される。
【０１１０】
ステップＳ．３−２では、カウンターＮを初期値０に設定する。
【０１１１】
ステップＳ．３−３では、レリーズＳＷ１が半押し状態であるか否かが判断される。半押しされていなければステップＳ．３−２に戻り、半押しされていれば次のステップ（Ｓ．３−４）に進む。
【０１１２】
ステップＳ．３−４では、カウンターＮの値がＮ＞０か否かを判断する。Ｎ＞０でない（ここではＮ＝０）ならばステップＳ．３−５ａに進み、Ｎ＞０ならばステップＳ．３−５ｃに進む。
【０１１３】
ステップＳ．３−５ａでは、撮影光学系２０のフォーカスレンズのフォーカス位置をずらしながら山登りスキャン処理を実行する。
【０１１４】
すなわち、焦点レンズを最至近の焦点位置から無限遠の焦点位置まで移動させつつ、画像情報を記録すると共に、ＡＦ用被写体周波数情報取得手段１３ａによって、被写体画像の周波数情報（画像データをフーリエ変換した際のフーリエ係数の高周波成分の情報）に基づいてＡＦ評価値（フーリエ係数の高周波成分の画像面上での積分値（平均値））を算出する。
【０１１５】
本実施例では、被写体の合焦可能な被写体距離は複数存在しているので、被写体距離に対するＡＦ評価値のピークも複数存在するが、本実施例では、ＡＦ評価値のピークのうち、ピーク値が所定の閾値を超えている複数の被写体の焦点位置を参照して合焦位置とする。
【０１１６】
そして、次のステップＳ．３−５ｃに進む。
【０１１７】
ステップＳ．３−５ｂでは、ステップＳ．３−５ａにおいて、抽出されたＡＦ評価値のピークのうち、ピーク値が所定の閾値を超えているピークの数をＮｍａｘに設定し、次のステップＳ．３−５ｃに進む。
【０１１８】
ステップＳ．３−５ｃでは、カウンターＮの値に１を加えた値をカウンターＮに設定し、次のステップＳ．３−６に進む。
【０１１９】
ステップＳ．３−６では、ステップＳ．３−５ａにおいて算出され記録されたＮｍａｘ個のＡＦ評価値のピークのうち、Ｎ番目のピークに基づいて焦点レンズの撮影焦点範囲を決定して、この撮影焦点範囲内のレンズ位置に焦点レンズを移動する。
【０１２０】
撮影焦点範囲は、予めユーザーが設定しておくか、絞りの開放状態や撮影レンズの状態や、そのときの露出状態などの情報から自動的に決定することもできる。
【０１２１】
本実施例では、ＡＦ評価値のピークグラフの幅から自動的に撮影焦点範囲を決定する撮影焦点範囲取得手段が設けられている。具体的には、ピークグラフの半値幅などのグラフ幅を利用するものとする。
【０１２２】
ステップＳ．３−７では、撮影焦点範囲表示手段によってステップＳ．３−６で決定された撮影焦点範囲の予告表示がＬＣＤモニタ８に表示される。
【０１２３】
ステップＳ．３−８では、カウンターＮがＮ≦Ｎｍａｘであるか否かを判断して、Ｎ≦Ｎｍａｘでない（今はＮ＝Ｎｍａｘ＋１）ならばステップＳ．３−２に戻り、Ｎ≦ＮｍａｘであるならばステップＳ．３−９に進む。
【０１２４】
ステップＳ．３−９では、レリーズＳＷ１の半押し状態が保持されているか否かを判断し、半押し状態が保持されていなければ、ステップＳ．３−３に戻り、半押し状態が保持されていれば撮影待機状態を保ち、次のステップＳ．３−１０に進む。
【０１２５】
ステップＳ．３−１０では、レリーズＳＷ１が全押し状態であるか否かが判断される。全押しされていなければステップＳ．３−９に戻り、全押しされていれば次のステップＳ．３−１１に進む。
【０１２６】
ステップＳ．３−１１では、ステップＳ．３−６において決定された撮影焦点範囲内で焦点レンズを移動させつつ所定の回数あるいは所定の焦点位置間隔で撮影を行なう、いわゆる、フォーカスブラケット撮影を行ない、次のステップＳ．３−１２に進む。
【０１２７】
ステップＳ．３−１２では、処理を終了する。
【０１２８】
〈作用効果〉
撮影時にレリーズＳＷ１を半押し操作する毎に複数の撮影焦点範囲をＬＣＤモニタ８に順次予告表示し、レリーズＳＷ１を全押し操作したときに予告表示中の撮影焦点範囲内でフォーカスブラケット撮影を行なって撮影された各画像を記録するので、撮影意図に合うまでレリーズＳＷ１の半押し操作を繰り返し、撮影意図に合う撮影焦点範囲が選択されたときにレリーズＳＷ１を全押し操作することによって、このときの撮影焦点範囲内でフォーカスブラケット撮影を行なうことができる。
【０１２９】
このため、撮影者の撮影意図に合った撮影焦点範囲でフォーカスブラケット撮影が行われるので、撮影者が意図した合焦状態で撮影が行なわれ、画像品質の優れた撮影を行なうことができる。
【０１３０】
また、２段押しのレリーズＳＷ１によって請求項１ないし請求項３の発明に係る操作を行なうことにより、１つのレリーズＳＷ１によって第１のスイッチ操作と第２のスイッチ操作とが連続して行えるので、操作性の向上を図ることができる。
【実施例３】
【０１３１】
本発明を実施例に基づいて説明する。なお、上述の実施例と同一ないし均等な部分については説明を省略し、図面の符号については同一ないし均等な部分については同一の符号を付すものとする。
【０１３２】
実施例３のデジタルカメラＣは、焦点位置に対するＡＦ評価値の極大値近傍のデータから被写体に合焦可能な複数の撮影焦点範囲を決定する撮影焦点範囲取得手段と、撮影光学系２０の状態（特に絞り値）から各フォーカス位置における被写界深度情報を取得する被写界深度取得手段とを備えている。
【０１３３】
そして、被写界深度内に含まれかつ近接する少なくとも２つのＡＦ評価値の極大値データから合焦可能な複数の撮影焦点範囲を決定するとともに、撮影時にレリーズＳＷ１を半押し操作する毎にＬＣＤモニタ８に複数の撮影焦点範囲のうち１つを順次予告表示し、レリーズＳＷ１を全押し操作したときに予告表示中の撮影焦点範囲内でＡＦブラケット撮影を行なう。
【０１３４】
実施例３のＡＦエリア選択モードは、図９（ｂ），図９（ｃ）または図１０（ｂ），図１０（ｃ）に示すように、実施例２のＡＦエリア選択モードと同様に、フォーカスブラケット撮影における撮影焦点範囲をフォーカスブラケット撮影開始前にＬＣＤモニタ８上に表示し、撮影者が撮影焦点範囲を確認した上でフォーカスブラケット撮影を行えるようにするものである。
【０１３５】
レリーズＳＷ１を１回目に半押し操作した際に、フォーカスブラケット撮影が行われる撮影焦点範囲の予告表示が撮影意図から外れていた場合に、繰り返しレリーズＳＷ１の半押し操作を行なうことにより、レリーズＳＷ１を半押しする毎に、順次、撮影焦点範囲が変更され予告表示が切り替わる（図９，図１０では（ｂ）→（ｃ）の順）ので、撮影意図に合うまで操作を繰り返し、撮影意図に合う撮影焦点範囲が選択されたら、レリーズＳＷ１を全押し操作してフォーカスブラケット撮影を実行する。
【０１３６】
実施例３の撮影処理動作は、実施例２の撮影処理動作（図６のフローチャートに示される処理）と、ほとんど同様であるが、上述のフォーカスブラケット撮影を行なう撮影焦点範囲を決定する撮影焦点範囲取得手段の動作が異なり、特徴的であるので、この動作を図９，図１０に基づいて説明する。
【０１３７】
〈撮影焦点範囲取得手段の動作〉
図９（ａ）は、約１〜２ｍにいる手前人物と、後ろの約２〜３ｍにいる人物と、遠方にあるビルとによって構成された被写体（図９（ｂ）または図９（ｃ））について、被写体距離を横軸に、ＡＦ評価値を縦軸に示したものであり、撮影前の山登りスキャンによって取得されるものである。
【０１３８】
１回目にレリーズＳＷ１を半押しした直後に、山登りスキャンによって図９（ａ）に示される被写体距離に対するＡＦ評価値のデータを得る。
【０１３９】
これとは別に、絞りの開放状態や撮影光学系２０の状態の情報から被写界深度幅Ｌを決定し、ＡＦ評価値のピークのうち近接するピーク間が被写界深度幅Ｌ内に入るものを抽出して、これらのピークを含む前後の焦点位置で撮影焦点範囲を決定する。
【０１４０】
被写体距離に対するＡＦ評価値の複数のピークのうち、被写界深度幅Ｌ以下に近接しているピークを検出し、これらのピークの半値幅を含むように撮影焦点範囲を設定する。
【０１４１】
そして、図９（ｂ）に示すように、２人の人物を撮影焦点範囲に収めた領域である１〜３ｍの範囲でフォーカスブラケット撮影を実施することをＬＣＤモニタ８上に表示する。
【０１４２】
もし、この撮影焦点範囲が撮影者の意図に合わない場合には、図９（ｃ）に示すように、レリーズＳＷ１を再度半押しすることによって、ビルを撮影焦点範囲内に収めた４ｍ〜無限遠の撮影焦点範囲の予告表示が行われる。
【０１４３】
そして、レリーズＳＷ１を全押しすることによって、ビルを撮影焦点範囲内に収めた４ｍ〜無限遠の範囲でフォーカスブラケット撮影が行われる。
【０１４４】
上述した例とは別の例を図１０（ａ）〜図１０（ｃ）に示す。
【０１４５】
図１０（ａ）〜図１０（ｃ）では、約１〜２ｍにいる手前人物と、後ろの約２〜３ｍにいる人物と、後方にある自動車とによって構成された被写体を例示している。なお、図１０（ａ）に示す自動車は、約４〜６ｍの位置に位置している。
【０１４６】
１回目にレリーズＳＷ１を半押しした直後に、山登りスキャンによって図１０（ａ）に示される被写体距離に対するＡＦ評価値のデータを得る。
【０１４７】
これとは別に、絞りの開放状態や撮影光学系２０の状態の情報から被写界深度幅Ｌ’を決定し、ＡＦ評価値のピークのうち近接するピーク間が被写界深度幅Ｌ’内に入るものを抽出して、これらのピークを含む前後の焦点位置で撮影焦点範囲を決定する。
【０１４８】
そして、図１０（ｂ）に示すように、２人の人物を撮影焦点範囲に収めた領域である１〜３ｍの撮影を実施することを図示のようにＬＣＤモニタ８上に予告表示を行なう。
【０１４９】
もし、この撮影が撮影者の意図に合わない場合にはレリーズの半押し操作を再度行うことによって、後ろの人物と自動車とを撮影焦点範囲内に収めた２〜６ｍの撮影焦点範囲の予告表示が行われる。
【０１５０】
そして、レリーズＳＷ１を全押しすることによって、後ろ人物と自動車とを撮影焦点範囲内に収めた２〜６ｍの撮影焦点範囲でフォーカスブラケット撮影が行われる。
【０１５１】
このように１回の山登りスキャンで得られた情報から、撮影する撮影焦点範囲の選択を被写体によって変えることによって、できるだけ少ない半押し回数で撮影意図にあう撮影焦点範囲を表示する。
【０１５２】
〈制御フローチャート〉
図８はＡＦエリア選択モードのフローチャート図である。
【０１５３】
ステップＳ．４−１では、ＡＦエリア選択モードの撮影処理が開始される。
【０１５４】
ステップＳ．４−２では、カウンターＮを初期値０に設定する。
【０１５５】
ステップＳ．４−３では、レリーズＳＷ１が半押し状態であるか否かが判断される。半押しされていなければステップＳ．４−２に戻り、半押しされていれば次のステップ（Ｓ．４−４）に進む。
【０１５６】
ステップＳ．４−４では、カウンターＮの値がＮ＞０か否かを判断する。Ｎ＞０でない（ここではＮ＝０）ならばステップＳ．４−５ａに進み、Ｎ＞０ならばステップＳ．４−５ｄに進む。
【０１５７】
ステップＳ．４−５ａでは、撮影光学系２０のフォーカスレンズのフォーカス位置をずらしながら山登りスキャン処理を実行する。
【０１５８】
すなわち、焦点レンズを最至近の焦点位置から無限遠の焦点位置まで移動させつつ、画像情報を記録すると共に、ＡＦ用被写体周波数情報取得手段１３ａによって、被写体画像の周波数情報（画像データをフーリエ変換した際のフーリエ係数の高周波成分の情報）に基づいてＡＦ評価値（フーリエ係数の高周波成分の画像面上での積分値（平均値））を算出する。
【０１５９】
本実施例では、被写体の合焦可能な被写体距離は複数存在しているので、被写体距離に対するＡＦ評価値のピークも複数存在するが、本実施例では、ＡＦ評価値のピークのうち、ピーク値が所定の閾値を超えている複数の被写体の焦点位置を参照して合焦位置とする。
【０１６０】
そして、次のステップＳ．４−５ｂに進む。
【０１６１】
ステップＳ．４−５ｂでは、ステップＳ．４−５ａにおいて、抽出されたＡＦ評価値のピークのうち、被写界深度内に含まれかつ近接しているピークを選択し、これらの半値幅などのグラフ幅に基づいて撮影焦点範囲を決定し、次のステップＳ．４−５ｃに進む。
【０１６２】
ステップＳ．４−５ｃでは、ステップＳ．４−５ｂの焦点範囲取得処理で決定されたＡＦブラケット撮影の撮影ポイント数（合焦可能な撮影焦点範囲の数）をＮｍａｘに設定し、次のステップＳ．４−５ｄに進む。
【０１６３】
ステップＳ．４−５ｄでは、カウンターＮの値に１を加えた値をカウンターＮに設定し、次のステップＳ．４−６に進む。
【０１６４】
ステップＳ．４−６では、ステップＳ．４−５ｃにおいて算出され記録されたＮｍａｘ個の撮影焦点範囲のうち、Ｎ番目の撮影焦点範囲内のレンズ位置に焦点レンズを移動する。
【０１６５】
ステップＳ．４−７では、撮影焦点範囲表示手段によってステップＳ．４−６で決定した撮影焦点範囲の予告表示がＬＣＤモニタ８に表示される。
【０１６６】
ステップＳ．４−８では、カウンターＮがＮ≦Ｎｍａｘであるか否かを判断して、Ｎ≦Ｎｍａｘでない（今はＮ＝Ｎｍａｘ＋１）ならばステップＳ．４−２に戻り、Ｎ≦ＮｍａｘであるならばステップＳ．４−９に進む。
【０１６７】
ステップＳ．４−９では、レリーズＳＷ１の半押し状態が保持されているか否かを判断し、半押し状態が保持されていなければ、ステップＳ．４−２に戻り、半押し状態が保持されていれば撮影待機状態を保ち、次のステップＳ．４−１０に進む。
【０１６８】
ステップＳ．４−１０では、レリーズＳＷ１が全押し状態であるか否かが判断される。全押しされていなければステップＳ．４−９に戻り、全押しされていれば次のステップＳ．４−１１に進む。
【０１６９】
ステップＳ．４−１１では、ステップＳ．４−５ｂにおいて決定された撮影焦点範囲内で焦点レンズを移動させつつ所定の回数あるいは所定の焦点位置間隔で撮影を行なう、いわゆる、フォーカスブラケット撮影を行ない、次のステップＳ．４−１２に進む。
【０１７０】
ステップＳ．４−１２では、処理を終了する。
【０１７１】
〈作用効果〉
撮影時にレリーズＳＷ１を半押し操作する毎に複数の撮影焦点範囲をＬＣＤモニタ８に順次予告表示し、レリーズＳＷ１を全押し操作したときに予告表示中の撮影焦点範囲内でフォーカスブラケット撮影を行なうので、撮影意図に合うまでレリーズＳＷ１の半押し操作を繰り返し、撮影意図に合う撮影焦点範囲が選択されたときにレリーズＳＷ１を全押し操作することによって、このときの撮影焦点範囲内でフォーカスブラケット撮影が行なうことができる。
【０１７２】
このため、撮影者の撮影意図に合った撮影焦点範囲でフォーカスブラケット撮影が行われるので、撮影者が意図した合焦状態で撮影が行なわれ、画像品質の優れた撮影を行なうことができる。
【０１７３】
また、焦点評価値出力手段によるＡＦ評価値のデータと、被写界深度取得手段による被写界深度情報とに基づいて撮影焦点範囲が決定されるので、無駄なく撮影焦点範囲が決定され、撮影意図に合わない撮影焦点範囲が予告表示されたときの対処の仕方について、一層迅速かつ適切に撮影者の意図に合った撮影焦点範囲を選択できる。
【０１７４】
さらに、２段押しのレリーズＳＷ１によって、請求項１ないし請求項３の発明に係る操作を行なうことにより、１つのレリーズＳＷ１によって第１のスイッチ操作と第２のスイッチ操作とが連続して行えるので、操作性の向上を図ることができる。
【０１７５】
しかも、被写界深度内に入る複数の被写体を含むように撮影焦点範囲が自動的に選択され、フォーカスブラケット撮影が行われるので、撮影者が意図した被写体が含まれている可能性が一層高くなり、操作性が向上する。
【０１７６】
以上、本発明の撮影装置を実施例１〜実施例３に基づき説明してきたが、具体的な構成については、これらの実施例に限られるものではなく、本発明の要旨を逸脱しない限り、設計の変更や追加等は許容される。
【０１７７】
なお、本実施例では、レリーズＳＷ１の半押し状態と全押し状態とによって、フォーカスロックモードとフォーカスブラケット撮影モードとの切り替えを行なったが、フォーカスロックモードとフォーカスブラケット撮影モードとの切り替えは別のスイッチによって行なってもよい。
【産業上の利用可能性】
【０１７８】
実施例１〜３では、本発明の撮影装置をデジタルカメラへ適用する例を示したが、応用分野として携帯機器、例えば、カメラ付き携帯電話、ＰＤＡ（Ｐｅｒｓｏｎａｌ  Ｄｉｇｉｔａｌ  Ａｓｓｉｓｔａｎｔｓ）などに搭載される撮影装置としても適用することができる。
【図面の簡単な説明】
【０１７９】
【図１】本発明の撮影装置としてのデジタルカメラを示す外観図であり、（ａ）はデジタルカメラの平面図を示し、（ｂ）はデジタルカメラの正面図を示し、（ｃ）はデジタルカメラの背面図を示している。
【図２】実施例１〜実施例３に共通のデジタルカメラの内部システムの構成を示すブロック図である。
【図３】実施例１〜実施例３に共通のデジタルカメラの動作概要を説明するフローチャート図である。
【図４】実施例１のデジタルカメラのＡＦエリア確認モードを説明するフローチャート図である。
【図５】実施例１のデジタルカメラのＡＦエリア確認モードを説明する概念図であり、（ａ）は被写体距離に対するＡＦ評価値のグラフ図であり、（ｂ）はモニタの表示状態を示している。
【図６】実施例２のデジタルカメラのＡＦエリア選択モードを説明するフローチャート図である。
【図７】実施例２のデジタルカメラのＡＦエリア選択モードを説明する概念図であり、（ａ）は被写体距離に対するＡＦ評価値のグラフ図であり、（ｂ）〜（ｄ）はＬＣＤモニタの表示状態を示している。（ｂ）は手前の人物、（ｃ）は後ろの人物、（ｄ）は自動車の前後位置に撮影焦点範囲が選択され、それらがＬＣＤモニタ上に表示された様子を示している。
【図８】実施例３のデジタルカメラのＡＦエリア選択モードを説明するフローチャート図である。
【図９】実施例３のデジタルカメラのＡＦエリア選択モードを説明する概念図であり、（ａ）は被写体距離に対するＡＦ評価値のグラフ図であり、（ｂ），（ｃ）はＬＣＤモニタの表示状態を示している。（ｂ）は手前の人物と後ろの人物との前後位置、（ｃ）は背景のビル群に撮影焦点範囲が選択され、それらがＬＣＤモニタ上に表示された様子を示している。
【図１０】実施例３のデジタルカメラのＡＦエリア選択モードを説明する概念図であり、（ａ）は被写体距離に対するＡＦ評価値のグラフ図であり、（ｂ），（ｃ）はＬＣＤモニタの表示状態を示している。（ｂ）は手前の人物と後ろの人物との前後位置、（ｃ）は後ろの人物と自動車との前後位置に撮影焦点範囲が選択され、それがＬＣＤモニタ上に表示された様子を示している。
【符号の説明】
【０１８０】
８       ＬＣＤモニタ（画像表示部）
１３ａ   ＡＦ用被写体周波数情報取得手段（焦点評価値出力手段）
１７     画像バッファ用メモリ（画像記録手段）
２０     撮影光学系
２４     撮像素子
２３     光学系駆動部（フォーカス駆動手段）
Ｃ       デジタルカメラ（撮影装置）
ＳＷ１   レリーズ（第１のスイッチ，第２のスイッチ）
【図１】
0004822283.tif 000002
【図２】
0004822283.tif 000003
【図３】
0004822283.tif 000004
【図４】
0004822283.tif 000005
【図５】
0004822283.tif 000006
【図６】
0004822283.tif 000007
【図７】
0004822283.tif 000008
【図８】
0004822283.tif 000009
【図９】
0004822283.tif 000010
【図１０】
0004822283.tif 000011